【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
アクセサリ装置が着脱可能な撮像装置であって、
前記アクセサリ装置を介して形成される被写体像を光電変換し、第１の画像信号を出力する撮像素子と、
第１のタイミングに対応する前記第１の画像信号と前記アクセサリ装置から受信した第１のアクセサリ情報を用いて検出を行う検出手段と、
前記第１のタイミングに基づいて、第１の時間情報を設定する演算手段と、
前記アクセサリ装置と通信を行う通信手段と、を有し、
前記通信手段は、前記第１の時間情報と、前記第１の画像信号に対応する第１のＩＤ情報を前記アクセサリ装置に送信し、
前記通信手段は、前記第１の時間情報に基づいて前記アクセサリ装置によって検出された前記第１のアクセサリ情報と、前記第１のアクセサリ情報が前記アクセサリ装置に検出されたタイミングに対応する第２のＩＤ情報を受信し、
前記検出手段は、前記第１のＩＤ情報と前記第２のＩＤ情報が互いに一致する場合に、前記検出を行うことを特徴とする撮像装置。
【請求項２】
前記検出手段は、前記第１のＩＤ情報と前記第２のＩＤ情報が互いに一致しない場合に、前記第１のアクセサリ情報を用いて前記検出を行わないことを特徴とする請求項１に記載の撮像装置。
【請求項３】
前記通信手段は、前記第１の時間情報に対応するタイミングとは異なるタイミングで前記アクセサリ装置によって検出された第２のアクセサリ情報と、第３のＩＤ情報を受信し、
前記検出手段は、前記第１のＩＤ情報と前記第２のＩＤ情報が互いに一致せず、前記第１のＩＤ情報と前記第３のＩＤ情報が互いに一致する場合に、前記第１のＩＤ情報に対応する前記第１の画像信号と、前記第３のＩＤ情報に対応する前記第２のアクセサリ情報とを用いて、前記検出を行うことを特徴とする請求項１に記載の撮像装置。
【請求項４】
前記第３のＩＤ情報に対応する前記第２のアクセサリ情報は、前記第２のＩＤ情報に対応する前記第１のアクセサリ情報が検出された後のタイミングで検出されることを特徴とする請求項３に記載の撮像装置。
【請求項５】
前記検出手段は、前記第１のＩＤ情報が前記第２のＩＤ情報と一致せず、前記第１のＩＤ情報が前記第３のＩＤ情報と一致しない場合に、前記第１のアクセサリ情報を再取得し、
前記通信手段は、再取得された前記第１のアクセサリ情報と、第４のＩＤ情報を受信し
前記検出手段は、前記第１のＩＤ情報と前記第４のＩＤ情報が互いに一致する場合に、前記第１のＩＤ情報に対応する前記第１の画像信号と、前記第４のＩＤ情報に対応する再取得された前記第１のアクセサリ情報とを用いて前記検出を行うことを特徴とする請求項３に記載の撮像装置。
【請求項６】
前記検出手段は、前記第１のＩＤ情報と前記第４のＩＤ情報が互いに一致しない場合に、前記第１のＩＤ情報に対応する前記第１の画像信号と、前記第４のＩＤ情報に対応する再取得された前記第１のアクセサリ情報とを用いて前記検出を行わないことを特徴とする請求項５に記載の撮像装置。
【請求項７】
前記第１のアクセサリ情報は前記アクセサリ装置によって検出された角速度であり、
前記検出手段は、被写体の角速度を検出することを特徴とする請求項１に記載の撮像装置。
【請求項８】
前記第１のアクセサリ情報は前記アクセサリ装置によって検出された角速度であり、
前記検出手段は、被写体の角速度を検出することを特徴とする請求項２に記載の撮像装置。
【請求項９】
撮像装置に着脱可能なアクセサリ装置であって、
撮像光学系と、
前記撮像光学系と通信を行う通信手段と、
第１のアクセサリ情報を検出する検出手段と、を有し、
前記通信手段は、第１のタイミングに対応する第１の時間情報と、第１のＩＤ情報を受信し、
前記アクセサリ装置は、前記第１の時間情報に基づいて第２のタイミングを設定する演算手段を更に有し、
前記検出手段は、前記第２のタイミングに対応するタイミングで前記第１のアクセサリ情報を検出し、
前記通信手段は、前記第１のアクセサリ情報と第１の角速度に対応する第２のＩＤ情報とを互いに関連付けて前記撮像装置へ送信し、
前記第１のＩＤ情報と前記第２のＩＤ情報とは互いに一致することを特徴とするアクセサリ装置。
【請求項１０】
前記演算手段は、前記第１の時間情報と、前記第１の時間情報と前記第１のＩＤ情報の受信のタイミングに対応する第２の時間情報とに基づいて前記第２のタイミングを設定することを特徴とする請求項９に記載のアクセサリ装置。
【請求項１１】
前記第１のアクセサリ情報は、前記アクセサリ装置によって検出された角速度であることを特徴とする請求項９に記載のアクセサリ装置。
【請求項１２】
アクセサリ装置が着脱可能な撮像装置の制御方法であって、
前記アクセサリ装置を介して形成される被写体像を光電変換し、第１の画像信号を出力するステップと、
第１のタイミングに対応する前記第１の画像信号と、前記アクセサリ装置から受信した第１のアクセサリ情報を用いて検出を行うステップと、
前記第１のタイミングに基づいて、第１の時間情報を設定するステップと、
前記アクセサリ装置と通信を行うステップと、を有し、
前記通信を行うステップは、前記第１の時間情報と、前記第１の画像信号に対応する第１のＩＤ情報を前記アクセサリ装置に送信し、
前記通信を行うステップは、前記第１の時間情報に基づいて前記アクセサリ装置によって検出された前記第１のアクセサリ情報と、前記第１のアクセサリ情報が前記アクセサリ装置に検出されたタイミングに対応する第２のＩＤ情報を受信し、
前記検出は、前記第１のＩＤ情報と前記第２のＩＤ情報が互いに一致する場合に行われることを特徴とする制御方法。
【請求項１３】
撮像装置に着脱可能であり、撮像光学系を有するアクセサリ装置の制御方法であって、
第１のタイミングに対応する第１の時間情報と、第１のＩＤ情報を受信するステップと、
前記第１の時間情報に基づいて第２のタイミングを設定するステップと、
前記第２のタイミングに対応するタイミングで第１のアクセサリ情報を検出するステップと、
前記第１のアクセサリ情報と第１の角速度に対応する第２のＩＤ情報とを互いに関連付けて前記撮像装置へ送信するステップとを有し、
前記第１のＩＤ情報と前記第２のＩＤ情報とは互いに一致することを特徴とする制御方法。
【請求項１４】
請求項１２または１３に記載の制御方法をコンピュータに実行させることを特徴とするプログラム。
【請求項１５】
請求項１４に記載のプログラムを記憶していることを特徴とする記憶媒体。
【手続補正２】
【補正対象書類名】明細書
【補正対象項目名】発明の名称
【補正方法】変更
【補正の内容】
【発明の名称】撮像装置、アクセサリ装置、制御方法、プログラム、および、記憶媒体
【手続補正３】
【補正対象書類名】明細書
【補正対象項目名】０００９
【補正方法】変更
【補正の内容】
【０００９】
そこで本発明は、流し撮りアシスト性能を向上させた撮像装置、アクセサリ装置、制御方法、プログラム、および、記憶媒体を提供する。
【手続補正４】
【補正対象書類名】明細書
【補正対象項目名】００１０
【補正方法】変更
【補正の内容】
【００１０】
本発明の一側面としての撮像装置は、アクセサリ装置が着脱可能な撮像装置であって、前記アクセサリ装置を介して形成される被写体像を光電変換し、第１の画像信号を出力する撮像素子と、第１のタイミングに対応する前記第１の画像信号と前記アクセサリ装置から受信した第１のアクセサリ情報を用いて検出を行う検出手段と、前記第１のタイミングに基づいて、第１の時間情報を設定する演算手段と、前記アクセサリ装置と通信を行う通信手段と、を有し、前記通信手段は、前記第１の時間情報と、前記第１の画像信号に対応する第１のＩＤ情報を前記アクセサリ装置に送信し、前記通信手段は、前記第１の時間情報に基づいて前記アクセサリ装置によって検出された前記第１のアクセサリ情報と、前記第１のアクセサリ情報が前記アクセサリ装置に検出されたタイミングに対応する第２のＩＤ情報を受信し、前記検出手段は、前記第１のＩＤ情報と前記第２のＩＤ情報が互いに一致する場合に、前記検出を行うことを特徴とする。
【手続補正５】
【補正対象書類名】明細書
【補正対象項目名】００１１
【補正方法】変更
【補正の内容】
【００１１】
本発明の他の側面としてのアクセサリ装置は、撮像装置に着脱可能なアクセサリ装置であって、撮像光学系と、前記撮像光学系と通信を行う通信手段と、第１のアクセサリ情報を検出する検出手段と、を有し、前記通信手段は、第１のタイミングに対応する第１の時間情報と、第１のＩＤ情報を受信し、前記アクセサリ装置は、前記第１の時間情報に基づいて第２のタイミングを設定する演算手段を更に有し、前記検出手段は、前記第２のタイミングに対応するタイミングで前記第１のアクセサリ情報を検出し、前記通信手段は、前記第１のアクセサリ情報と第１の角速度に対応する第２のＩＤ情報とを互いに関連付けて前記撮像装置へ送信し、前記第１のＩＤ情報と前記第２のＩＤ情報とは互いに一致することを特徴とする。
【手続補正６】
【補正対象書類名】明細書
【補正対象項目名】００１２
【補正方法】変更
【補正の内容】
【００１２】
本発明の他の側面としての制御方法は、アクセサリ装置が着脱可能な撮像装置の制御方法であって、前記アクセサリ装置を介して形成される被写体像を光電変換し、第１の画像信号を出力するステップと、第１のタイミングに対応する前記第１の画像信号と、前記アクセサリ装置から受信した第１のアクセサリ情報を用いて検出を行うステップと、前記第１のタイミングに基づいて、第１の時間情報を設定するステップと、前記アクセサリ装置と通信を行うステップと、を有し、前記通信を行うステップは、前記第１の時間情報と、前記第１の画像信号に対応する第１のＩＤ情報を前記アクセサリ装置に送信し、前記通信を行うステップは、前記第１の時間情報に基づいて前記アクセサリ装置によって検出された前記第１のアクセサリ情報と、前記第１のアクセサリ情報が前記アクセサリ装置に検出されたタイミングに対応する第２のＩＤ情報を受信し、前記検出は、前記第１のＩＤ情報と前記第２のＩＤ情報が互いに一致する場合に行われることを特徴とする。
【手続補正７】
【補正対象書類名】明細書
【補正対象項目名】００１３
【補正方法】変更
【補正の内容】
【００１３】
本発明の他の側面としての制御方法は、撮像装置に着脱可能であり、撮像光学系を有するアクセサリ装置の制御方法であって、第１のタイミングに対応する第１の時間情報と、第１のＩＤ情報を受信するステップと、前記第１の時間情報に基づいて第２のタイミングを設定するステップと、前記第２のタイミングに対応するタイミングで第１のアクセサリ情報を検出するステップと、前記第１のアクセサリ情報と第１の角速度に対応する第２のＩＤ情報とを互いに関連付けて前記撮像装置へ送信するステップとを有し、前記第１のＩＤ情報と前記第２のＩＤ情報とは互いに一致することを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】